(57)【要約】【課題】  本発明は、宝くじ事業と創業企業支援とを効果的に接合させたオンライン創業投資宝くじの運営方法及びそのシステムに関するものである。【解決手段】  本発明によると、企業設立者及び創業企業に対する投資資金誘致を促進することで、有望な事業の死蔵を防止し、さらに、企業創業を奨励するという効果がある。
2006527885.tif 000002
【特許請求の範囲】
【請求項１】
(ａ)サービス提供者サーバの創業企業管理部により、創業投資宝くじの当選者に提供される株式を発行する創業企業の情報をサービス提供者サーバの企業情報データベースに保存し、保存された創業企業の情報を使用者端末機の要求に応じて通信網を通して使用者端末機に送信する段階と;
(ｂ)サービス提供者サーバの宝くじ発行管理部及び宝くじ抽選管理部により、総当選金のうち、予め設定された創業企業の株式引受費用に該当する金額だけの創業企業株式と交換される創業投資宝くじをそれぞれ発行及び抽選する段階と;
(ｃ)当選者の端末機から当選者の個人情報及び当選情報を受け取る段階と；
(ｄ)サービス提供者サーバの当選宝くじ管理部により、前記(ｃ)段階で受け取った個人情報及び当選情報に基づいて、当選者の創業企業株式引受を請求するための情報が含まれた株式引受請求書を生成し、生成された株式引受請求書を通信網を通して当選者の端末機に送信する段階と;
(ｅ)当選者によって株式引受請求書を確認した後、確認された株式引受請求書を通信網を通して当選者の端末機を用いてサービス提供者サーバに送信する段階と;
(ｆ)サービス提供者サーバの当選宝くじ管理部により、当選者によって送信された株式引受請求書を受け取り、当選者に創業企業株式を当選金の一部として提供する段階と;を含むことを特徴とするオンライン創業投資宝くじの運営方法。
【請求項２】
(ｇ)サービス提供者サーバの当選宝くじ管理部により、当選金のうち、引き受けられる株式に該当する金額だけの創業企業株式をランダムに選択するか、宝くじ発行を担当する運営者によって宝くじ発行ごとに指定された株式を創業企業株式として選択する段階と;
(ｈ)サービス提供者サーバの創業企業株式管理部により、選択された創業企業株式を当選者に割り当て、割り当てられた株式を精算し、精算結果を株式管理データベースに保存する段階と;をさらに含み、
選択された前記創業企業株式の情報は、前記株式引受請求書に挿入されることを特徴とする請求項１に記載のオンライン創業投資宝くじの運営方法。
【請求項３】
前記株式引受請求書には、創業企業を選択するための空欄が備わり、
(ｉ)サービス提供者サーバの株式管理データベースから、当選金のうち、引き受けられる株式に該当する金額だけの前記空欄に記載された創業企業の株式を当選者によって保有される株式として選択する段階と;
(ｊ)サービス提供者サーバの創業企業株式管理部により、選択された創業企業株式を当選者に割り当て、割り当てられた株式を精算する段階と;をさらに含むことを特徴とする請求項１に記載のオンライン創業投資宝くじの運営方法。
【請求項４】
通信網に接続されたサービス提供者サーバ及び使用者端末機を用いて、宝くじ事業と創業企業支援とを効果的に接合させたオンライン創業投資宝くじの運営システムにおいて、
前記サービス提供者サーバは、
創業投資宝くじの当選者に提供される株式を発行する創業企業の情報をサービス提供者サーバの企業情報データベースに保存し、保存された創業企業の情報を、使用者端末機の要求に応じて通信網を通して使用者端末機に送信する創業企業管理部と;
総当選金のうち、予め設定された創業企業の株式引受費用に該当する金額だけの創業企業株式と交換される創業投資宝くじをそれぞれ発行及び抽選する宝くじ発行管理部及び宝くじ抽選管理部と;
入力された個人情報及び当選情報に基づいて、当選者から創業企業の株式引受を請求するための情報が含まれた株式引受請求書を生成し、生成された株式引受請求書を通信網を通して当選者の端末機に送信し、当選者によって送信された株式引受請求書の受信時、当選者に創業企業株式を当選金の一部として提供する当選宝くじ管理部と;を含み、
当選者は、自身の個人情報及び当選情報を当選者の端末に入力し、入力された個人情報及び当選情報を通信網を通して送信し、株式引受請求書を確認し、確認された株式引受請求書を通信網を通してサービス提供者サーバに送信することを特徴とするオンライン創業投資宝くじの運営システム。
【請求項５】
前記当選宝くじ管理部は、
当選金のうち、引き受けられる株式に該当する金額だけの創業企業株式をランダムに選択するか、または、宝くじ発行を担当する運営者によって宝くじ発行ごとに指定された株式を創業企業株式として選択し、
創業企業株式管理部は、
選択された創業企業株式を当選者に割り当て、割り当てられた株式を精算し、精算結果を株式管理データベースに保存し、
選択された創業企業株式情報は、前記株式引受請求書に挿入されることを特徴とする請求項４に記載のオンライン創業投資宝くじの運営システム。
【請求項６】
前記株式引受請求書には、創業企業を選択するための空欄が備わり、
前記当選宝くじ管理部は、
サービス提供者サーバの株式管理データベースから、当選金のうち、引き受けられる株式に該当する金額だけの前記空欄に記載された創業企業の株式を当選者によって保有される株式として選択し、
創業企業株式管理部は、
選択された創業企業株式を当選者に割り当て、割り当てられた株式を精算することを特徴とする請求項４に記載のオンライン創業投資宝くじの運営システム。
【発明の詳細な説明】
【技術分野】
【０００１】
本発明は、創業投資宝くじの運営方法及びそのシステムに関するもので、詳しくは、創業企業の株式を当選金の一部として引き受けられる創業投資宝くじの運営方法及びそのシステムに関するものである。
【背景技術】
【０００２】
最近、一般の宝くじ及びインターネット宝くじを含む多様な宝くじ事業が運営されており、このうち、インターネット宝くじは、インターネット上で宝くじ券の費用を決済し、抽選によって当選者に当選金を支払う方式で運営されている。
【０００３】
従来の宝くじ事業は、主に当選金のみを支払う方式を採用しているが、当選金のみを支払う方式以外のものを望む消費者を引き付けるために、自動車や家電製品を景品や当選金の一部として提供する方式も採用している。しかしながら、どの方式においても、従来の宝くじ事業は、射幸心をあおるという否定的な面が強いため、宝くじの購入者は僥倖に頼る人として映され、宝くじの購入が社会的に否定的な影響として見なされるという問題点があった。一方、宝くじ事業は、公的事業資金の調達という名分を掲げているが、現実的には、投資資金を望む多くの創業企業を支援する方案が設けられておらず、公的資金の調達面で実効性を持ってないという問題点があった。
【０００４】
一方、ベンチャー企業を含む多くの創業企業は、優れた技術や有望な事業アイテムを保有しているにもかかわらず、実質的には、事業資金の不足によって困難を経験している。よって、これら創業企業を補助するために、創業投資会社及び創業投資組合などが設立されて運営されているが、事業上の危険性のため、巨額の資金を投資することは現実的に難しい。
【０００５】
しかしながら、ベンチャー企業は、ハイリスク・ハイリターン(high risk、high return)という事業上の特性があるため、事業での成功は、投資者に多くの利益を与えるとともに、国策産業の発展にも貢献することになる。したがって、投資誘致は必ず必要である。
【発明の開示】
【発明が解決しようとする課題】
【０００６】
本発明は、上記の問題点を解決するためになされたもので、宝くじ事業と創業企業支援とを効果的に接合させた創業投資宝くじの運営方法及びそのシステムを提供することを目的とする。
【課題を解決するための手段】
【０００７】
上記の目的を達成するために、本発明によるオンライン創業投資宝くじの運営方法は、(ａ)サービス提供者サーバの創業企業管理部により、創業投資宝くじの当選者に提供される株式を発行する創業企業の情報をサービス提供者サーバの企業情報データベースに保存し、保存された創業企業の情報を使用者端末機の要求に応じて通信網を通して使用者端末機に送信する段階と;(ｂ)サービス提供者サーバの宝くじ発行管理部及び宝くじ抽選管理部により、総当選金のうち、予め設定された創業企業の株式引受費用に該当する金額だけの創業企業株式と交換される創業投資宝くじをそれぞれ発行及び抽選する段階と;(ｃ)当選者の端末機から当選者の個人情報及び当選情報を受け取る段階と；(ｄ)サービス提供者サーバの当選宝くじ管理部により、前記(ｃ)段階で受け取った個人情報及び当選情報に基づいて、当選者の創業企業株式引受を請求するための情報が含まれた株式引受請求書を生成し、生成された株式引受請求書を通信網を通して当選者の端末機に送信する段階と;(ｅ)当選者によって株式引受請求書を確認した後、確認された株式引受請求書を通信網を通して当選者の端末機を用いてサービス提供者サーバに送信する段階と;(ｆ)サービス提供者サーバの当選宝くじ管理部により、当選者によって送信された株式引受請求書を受け取り、当選者に創業企業株式を当選金の一部として提供する段階と;を含むことを特徴とする。
【０００８】
また、上記の目的を達成するために、本発明によるオンライン創業投資宝くじの運営システムは、通信網に接続されたサービス提供者サーバ及び使用者端末機を用いて、宝くじ事業と創業企業支援とを効果的に接合させたオンライン創業投資宝くじの運営システムにおいて、前記サービス提供者サーバは、創業投資宝くじの当選者に提供される株式を発行する創業企業の情報をサービス提供者サーバの企業情報データベースに保存し、保存された創業企業の情報を、使用者端末機の要求に応じて通信網を通して使用者端末機に送信する創業企業管理部と;総当選金のうち、予め設定された創業企業の株式引受費用に該当する金額だけの創業企業株式と交換される創業投資宝くじをそれぞれ発行及び抽選する宝くじ発行管理部及び宝くじ抽選管理部と;入力された個人情報及び当選情報に基づいて、当選者から創業企業の株式引受を請求するための情報が含まれた株式引受請求書を生成し、生成された株式引受請求書を通信網を通して当選者の端末機に送信し、当選者によって送信された株式引受請求書の受信時、当選者に創業企業株式を当選金の一部として提供する当選宝くじ管理部と;を含み、当選者は、自身の個人情報及び当選情報を入力し、入力された個人情報及び当選情報を通信網を通して送信し、株式引受請求書を確認し、確認された株式引受請求書を通信網を通してサービス提供者サーバに送信することを特徴とする。
【０００９】
本発明の上記及び他の目的、特徴、および他の利点は、以下の詳細な説明と添付図を併せて参照することにより、一層明確に理解されるであろう。
【発明を実施するための最良の形態】
【００１０】
以下、本発明の好ましい実施の形態を、図面に基づいて詳しく説明する。
【００１１】
図１は、本発明によるオンライン創業投資宝くじの運営方法が行われるシステムの一例を示したブロック図で、図２は、図１のシステム内で行われる本発明の実施形態によるオンライン創業投資宝くじ運営方法の主要段階をそれぞれ示したフローチャートである。
【００１２】
図１に示すように、サービス提供者サーバ１０は、通信網１４を通して使用者端末機１６に接続され、宝くじ事業と創業企業支援とを接合させた創業投資宝くじの運営方法及びそのシステムを提供する。
【００１３】
サービス提供者サーバ１０は、オフラインまたはオンライン上で前記創業投資宝くじの発行を管理するための宝くじ発行管理部１０２と、前記創業投資宝くじの抽選を管理するための宝くじ抽選管理部１０４と、当選宝くじ管理部１０６と、創業企業管理部１０８と、企業情報データベース１１０と、前記創業投資宝くじの当選者に提供された株式の情報を管理するための創業企業株式管理部１１２と、株式管理データベース１１４と、を備えている。また、サービス提供者サーバ１０は、通信網１４とサービス提供者サーバ１０とを接続するインターフェース１２０と、前記各構成要素の動作を制御する制御部１２２と、を備えている。また、通信網１４に接続された宝くじ販売機１７によっても、後述する全ての過程を処理できる。
【００１４】
以下、上記のように構成された本発明の実施形態によるオンライン創業投資宝くじの運営システムの動作を詳しく説明する。本発明の方法による創業投資宝くじの実際的な運営は、投資有望な創業企業の選択、創業投資宝くじの発行及び抽選、抽選結果による当選金配分及び株式引受、投資創業企業の事後管理及び株式市場の登録などの順に行われる。これら過程のうち、当選金配分及び株式引受過程は、本発明の創業投資宝くじと既存の宝くじとの明確な差を示している。すなわち、前記創業投資宝くじは、当選金の一部を選択された創業企業の株式引受に用いるように用途を制限し、かつ、宝くじ事業の利益である公的資金も、選択された創業企業の株式引受に用いており、後述するように、株式の処分時に回収される。
【００１５】
まず、創業企業管理部１０８は、創業投資宝くじの当選者に提供される株式を発行する創業企業の情報を、サービス提供者サーバの企業情報データベース１１０に保存(段階Ｓ２０２)し、保存された創業企業の情報を、使用者端末機１６の要求に応じて通信網１４を通して使用者端末機１６に提供する。
【００１６】
一方、創業投資宝くじの発行前に、予め創業企業の選択及び株式公募過程を経ることになる。すなわち、前記創業投資宝くじ運営システムの運営者は、有望な創業企業を選択するために創業企業から所定の投資要請書を受け取るが、投資要請書の様式は、創業投資宝くじ運営システムから資金誘致を望む創業企業に提供される。前記投資要請書の様式は、企業の事業性評価及び創業企業価値の評価に必要な全ての情報を含んでいる。すなわち、前記投資要請書の様式は、事業アイテムの内容、事業の市場規模及び成長展望、経営陣のプロフィール、創業企業の保有する知的所有権、創業企業の研究開発実績、創業企業の技術人力、現在までの事業内訳、今後の事業計画、資金の使用計画、財務現況及び財産現況などを含んでいる。
【００１７】
次に、創業投資宝くじ運営システムに投資要請書を受け付けた創業企業の事業性を評価する。すなわち、資金誘致を望む創業企業の事業成功可能性、事業の魅力度、技術的能力、経営能力、事業の経済的・社会的な影響などを総合的に考慮して評価した後、評価の結果を前記創業企業管理部１０８を通して企業情報データベース１１０に保存する(段階Ｓ２０２)。このとき、各事業別に専門化された評価要員によって、評価の質的水準が向上することになる。
【００１８】
次に、創業企業価値の評価及び株式発行の条件を決定する。すなわち、現時点における人的資源、資産、有形的及び無形的価値を評価し、この評価に基づいて既存の株主の割り当て及び新規株式の発行条件を決定する。このとき、創業企業の資産評価額から負債評価額を差し引いて純資産価値を求め、これに予想損益及び成長展望などを考慮した事業的価値を合せることで、詳しい創業企業の評価額が導かれる。一方、株式発行条件は、前記創業企業価値の評価によって容易に決定される。例えば、純資産価値が１０億ウォン(韓貨)、事業的価値が３０億ウォンであると仮定すると、創業企業の評価額は、合計４０億ウォンである。創業企業が１０億ウォンの資金を株式発行を通して新規株主に調達すると、総資本は５０億ウォンになり、既存の株主の割り当てが総資本の８０％、新規株主の割り当てが総資本の２０％になる。もし、発行株式の総数が１００，０００である場合、既存の株主に８０，０００株が分配され、新規株主に２０，０００株が分配される。この場合、５０億ウォンの総資本は、株式の額面価額に基づいて資本金と剰余金とに分離される。
【００１９】
次に、創業企業は、株主公募を申請する。すなわち、創業企業は、前記創業企業価値の評価に満足し、株式発行条件によって株主を公募することを望む場合、株主公募を申請し、その反面、事業性評価に合格したとしても、前記創業企業価値の評価に満足しない場合、株主公募を申請しない。
【００２０】
次に、株主公募を申請した創業企業から、創業投資宝くじを発行する創業企業を選択する。すなわち、事業性及び創業企業価値の評価に全て満足し、株主公募を望む創業企業が選択される。この選択された創業企業は、所定の条件にしたがって株式を発行することで投資資金を調達する。
【００２１】
次に、宝くじ発行管理部１０２及び宝くじ抽選管理部１０４は、総当選金のうち、予め設定された創業企業の株式引受費用に該当する金額だけの創業企業株式と交換される創業投資宝くじを発行(段階Ｓ２０４)して抽選(段階Ｓ２０６)する。このとき、段階Ｓ２０４では、既存の宝くじやその他の宝くじで用いられる方法を適用するので、それに対する詳しい説明は省略する。すなわち、オフラインまたはオンライン上で宝くじの発行及び抽選が可能である。ここで、前記創業投資宝くじの発行時、当選者によって株式が引き受けられる創業企業の情報は、前記サービス提供者サーバ１０によって提供されるホームページを通して提供される。また、段階Ｓ２０６は、週別または月別に行い、創業投資宝くじの抽選方法も、既存の宝くじまたはその他の宝くじで用いられる方法を適用するので、それに対する詳しい説明は省略する。
【００２２】
ここで、創業投資宝くじの販売収益を配分するにおいて、当選者に当選金の一部(全宝くじ販売収益の約４０％)を現金で提供する一方、他の一部(全宝くじ販売収益の約２０％)は、当選者が創業企業の株式を引き受けるのに用いる。
【００２３】
次の表１は、既存の宝くじ及び創業投資宝くじの販売費配分の例を示している。
【００２４】
【表１】
2006527885.tif 000003
また、全体の宝くじ販売収益の約２０％に至る宝くじ販売費及びその他の事業経費を除いた、全体の宝くじ販売収益の約２０％を占める公的資金の調達額も、創業企業の株式を引き受けるのに用いられる。したがって、当選金の一部及び公的資金の調達額も、創業企業の資金として供給される。このとき、調達された公的資金を用いて引き受けられた創業企業の株式は、処分時に公的資金として還元される。
【００２５】
一方、購入される宝くじは個人情報がない無記名のものなので、サービス提供者は、誰が創業投資宝くじに当選したか知ることができない。しかし、株式引受には、当選金に対する口座開設と同様に一種の実名口座が必要とされるので、サービス提供者は、創業投資宝くじの当選者の個人情報及び当選情報を受け取る必要がある。したがって、当選者は、自身の個人情報及び当選情報をサービス提供者サーバ１０に入力する(段階Ｓ２０８)。当選宝くじ管理部１０６は、入力された個人情報及び当選情報に基づいて、創業企業株式の引受を請求するための情報が含まれた創業企業の株式引受請求書を生成し、生成された株式引受請求書を通信網１４を通して当選者の使用者端末機１６に送信(段階Ｓ２１０)する。
【００２６】
図３は、本発明による方法及びそのシステムにおける創業企業株式を引き受けるための創業企業の株式引受請求書の一例を示した図で、図４は、本発明による方法及びそのシステムにおける創業企業株式を引き受けるための創業企業の株式引受請求書の他の例を示した図である。図３に示すように、株式引受請求書３０は、当選情報が入力される空欄３０２と、個人情報が入力される空欄３０６と、を含んでおり、特に、株式が引き受けられる創業企業名及び引受可能な株式数は、空欄３０４に入力される。この場合、サービス提供者サーバ１０は、創業企業名及び引受可能な株式数を当選者に通知する。図４に示すように、前記株式引受請求書４０は、当選者が引き受けられる創業企業の株式を直接選択するように設けられた空欄４０４を含んでいる。図３のフローチャートに戻ると、各創業企業別に引き受けられる株式数を入力した後、当選者が確認及び送信ボタンをクリックすると、サービス提供者サーバ１０は、入力された株式引受請求書４０を点検し、エラーがあると当選者に修正を要請し、そうでない場合、株式引受請求書４０の確認を受け取る(段階Ｓ２１２)。
【００２７】
次に、当選宝くじ管理部１０６は、株式引受請求書の受信時、当選者に創業企業株式を当選金の一部として提供する(段階Ｓ２１４)。
【００２８】
図３の例では、当選宝くじ管理部１０６は、当選金のうち、引き受けられた株式に該当する金額だけの創業企業株式をランダムに選択するか、または、宝くじ発行を担当する運営者によって宝くじ発行ごとに指定された株式を創業企業株式として選択する。創業企業株式管理部１１２は、選択された創業企業株式を当選者に割り当て、割り当てられた株式を精算し、その精算結果を株式管理データベース１１４に保存する。このとき、選択された創業企業株式の情報は、前記株式引受請求書に挿入される。
【００２９】
しかしながら、図３の例によると、当選者が創業企業の株式を選択する機会を持たないため、当選者に不満足感を与えることになる。そのため、図４の他の例は、このような不満足感を緩和するために提供された。図４の例では、株式引受請求書４０は、創業企業を選択するための空欄４０４を備えており、前記当選宝くじ管理部１０６は、サービス提供者サーバ１０の株式管理データベース１１４から、当選金のうち引き受けられる株式に該当する金額だけの前記空欄４０４に記載された創業企業の株式を、当選者によって保有される株式として選択し、前記創業企業株式管理部１１２は、選択された創業企業株式を当選者に割り当て、割り当てられた株式を精算する。株式引受請求書は、当選者の端末機１６を用いてオンラインで作成されるか、または、オフラインで作成されて提出される。また、宝くじを担当する運営者は、該当の内容を前記オンライン上の株式引受請求書に記載し、株式管理データベース１１４に保存する。
【００３０】
上記のように、オンライン創業投資宝くじの運営方法は、創業投資宝くじを介して宝くじ事業と創業投資事業とを効果的に接合させたもので、有望なベンチャー企業(創業企業)に多くの事業資金を容易に調達できる。また、有望なベンチャー企業は、オンライン創業投資宝くじ運営方法を通して事後管理される。さらに、この方法は、株式取引システム(仮称、VenSDAQ(Venture Securities Dealers’Automated Quotation))の設立を通して創業企業の株式に流動性を与えることで、一つの巨大な創業投資システムを形成する。
【００３１】
このとき、投資者(創業投資宝くじの購入者)、すなわち当選者は、一次的に当選金の相当部分を現金で受け取る一方、ベンチャー企業(創業企業)の株式を追加的に引き受けるので、躊躇なしに投資(創業投資宝くじの購入)することになる。また、投資者(創業投資宝くじの購入者)は、既存の宝くじ購入時の僥倖に頼るという後ろめたさから抜け出し、かつ、ベンチャー企業の創立及び発展に参加するという明確な名分を得るため、創業投資宝くじの購入が奨励される。したがって、本発明によるオンライン創業投資宝くじの運営方法は、一般大衆の小額資金を集めて調達された巨額の創業投資資金を創業企業に供給することで、多くのベンチャー企業(創業企業)を誕生させる機会を与える。
【００３２】
一方、前記サービス提供者サーバ１０の運営者は、前記当選者の情報及び前記当選者によって引き受けられた株式の情報を創業企業株式管理部１１２を通して管理するので、当選者及び創業企業が持続的に管理される。また、サービス提供者サーバ１０の運営者は、上記の過程によって選択された創業企業の情報を創業企業管理部１０８を通して持続的に当選者に提供するので、当選者は、自身が選択した創業企業の経営状態を確認することができる。
【００３３】
また、サービス提供者サーバ１０の運営者は、創業企業に対する支援及び監視に必要な専門知識及び経験を備えた人々で事後管理チームを組織し、投資した創業企業を事後管理する。このとき、創業企業は、各分野別の専門家グループと一般管理グループとに二元化されたチームによって管理される。すなわち、前記各分野別の専門家グループは、特定の事案に対する相談などの問題解決を担当し、一般管理グループは、創業企業別に創業企業の支援及び監視によって経営状況を把握する担当者を選択する。一方、創業企業管理部１０８は、把握された創業企業の情報を企業情報データベース１１０に保存する。この情報は、サービス提供者サーバ１０によって提供されるホームページを通して当選者に公開される。
【００３４】
一方、図３及び図４に示した過程を通して、当選者によって引き受けられた株式の創業企業が存在する場合、前記創業企業の株式を引き受けた当選者は、図１に示した株式取引システム１８を通して株式を取引することもできる(図２の段階Ｓ２１６)。すなわち、サービス提供者サーバ１０は、各当選者または別途の事業企業によって保有された創業企業の株式を委託管理しており、特に、前記当選者または投資者は、前記サービス提供者サーバ１０によって運営される前記株式取引システム１８を通して、前記当選者によって保有される株式を取引することができる。このとき、前記株式取引システム１８(仮称、VenSDAQ(Venture Securities Dealers' Automated Quotation)は、ハイリスク・ハイリターンの特性を有するベンチャー企業(創業企業)の株式取引市場を意味するもので、特に、本発明による創業投資宝くじの運営方法を通して株主を公募した創業企業の株式を取引する市場である。すなわち、この株式取引システム１８は、上場企業の株式を取引している株式取引市場及び登録企業の株式を取引しているコスタック市場とは差別化された、別途の株式取引市場といえる(韓国の場合)。
【００３５】
また、前記株式取引システム１８は、株式取引市場及びコスタック市場と類似して、所定時間の間にリアルタイムで取引が成立するように運営され、かつ、取引時間の制限なしに買い手及び売り手がそれぞれ買い及び売りを申請し、その申請に応じて売り手及び買い手が売り及び買いを申請することで取引が成立する。
【００３６】
上記のように株式取引システム１８を設置して運営することで、投資者によって保有された株式に流動性が与えられ、追加的な資金調達市場が後で設立される。このために、前記サービス提供者サーバ１０は、投資者の株式を預託管理する一方、電算取引システムを構築し、取引に参加する人々が参考にするように企業価値評価、企業の実績及び展望、企業の最近動向などに対する資料を提供する。
【産業上の利用可能性】
【００３７】
本発明は、企業設立者及び創業企業への投資資金誘致を促進するので、有望な事業の死蔵を防止し、創業企業を奨励する。
【００３８】
また、本発明を通して、企業設立者は失業から抜け出し、求職者は創業企業に採用されて失業から抜け出し、当選金を受け取って創業企業の株主になる当選者も失業から抜け出せるので、本発明は、社会的な富を蓄積できる踏み台を提供する。
【００３９】
また、本発明を通して、事業資金なしに有望な事業アイテムを開発する人が事業資金の投資を受けるので、多くの人々が事業アイテムを研究開発することになる。したがって、本発明は、多様な産業分野の研究開発を通して科学技術の発展を促進する。
【００４０】
また、本発明を通して、創業投資宝くじの購入に費やされた一般大衆の小額の資金を集めることで、巨額の創業投資資金が調達されるが、この事業資金は、一般大衆によって開発される有望な事業アイテムを商業化するために提供され、かつ、一般大衆は、自身の投資した創業企業に採用されるので、互いに協力して大衆資本主義を導くことになる。
【図面の簡単な説明】
【００４１】
【図１】本発明によるオンライン創業投資宝くじの運営方法が行われるシステムの一例を示したブロック図である。
【図２】図１のシステム内で行われる本発明の実施形態によるオンライン創業投資宝くじ運営方法の主要段階をそれぞれ示したフローチャートである。
【図３】本発明による方法及びシステムにおける創業企業の株式を引き受けるための創業企業の株式引受請求書の一例を示した図である。
【図４】本発明による方法及びシステムにおける創業企業の株式を引き受けるための創業企業の株式引受請求書の他の例を示した図である。
【符号の説明】
【００４２】
１０    サービス提供者サーバ      １４    通信網
１６    使用者端末機              １７    宝くじ販売機
１８    株式取引システム          １０２  宝くじ発行管理部
１０４  宝くじ抽選管理部          １０６  当選宝くじ管理部
１０８  創業企業管理部            １１０  企業情報データベース
１１２  創業企業株式管理部        １１４  株式管理データベース
１２２  制御部                    ３０、４０  株式引受請求書
【図１】
2006527885.tif 000004
【図２】
2006527885.tif 000005
【図３】
2006527885.tif 000006
【図４】
2006527885.tif 000007
【国際調査報告】
2006527885.tif 000008